(57)【要約】【課題】フラッシング部における支持体４２上のインク吸収部材４０のインク吸収性能が長期間低下しないように、廃棄インクを除去する。【解決手段】プラテンの可動支持体の往復移動に連動する支持ブラケット４９の下面側に、ローラ４７の両端の回転軸４７ａを上下動のみ可能に支持する。規制レール５５の中途部にて回転軸４７ａの両端のコロ５３の上向きの移動が規制され、ローラ４７の下面がインク吸収部材４０の表面を押して、インク吸収部材４０の厚さを圧縮する。可動支持体の往復移動に連動するローラ４７の転動動作により、インク吸収部材４０の表面のインクが固形状になった部分を破砕すると共に、インク吸収部材４０内に溜まった廃棄インクを絞りながら、ローラ４７は移動する。絞り出された廃棄インクは液滴ガイド溝４３、流し溝４４、排出溝４５を経て排出される。【選択図】図６
2010201635.tif 000002
【特許請求の範囲】
【請求項１】
プラテンに支持されつつ所定の第１方向に沿って搬送される被記録媒体に向かってノズルからインク滴を吐出可能な記録ヘッドユニットが、前記被記録媒体の被記録面に沿う方向で且つ前記第１方向と直交する第２方向に往復移動自在となるように構成され、
前記プラテンには、前記被記録媒体を支持しつつ前記第１方向に移動可能な可動支持体が設けられ、この可動支持体を前記被記録媒体の搬送に追従させて前記第１方向にスライドさせる駆動機構が設けられ、
前記第２方向の一端部には、前記記録ヘッドユニットにより被記録媒体に画像を記録可能な領域の外側にて前記記録ヘッドユニットから吐出されるインク滴を受ける排出液受け部が設けられ、
前記排出液受け部における支持体の表面にインク滴の吸収部材が固定されており、
前記排出液受け部には、前記吸収部材の表面を圧縮しながら前記第１方向に沿って往復移動可能なローラ手段が設けられていることを特徴とする画像記録装置。
【請求項２】
前記ローラ手段は、前記可動支持体に連結されていることを特徴とする請求項１に記載の画像記録装置。
【請求項３】
前記ローラ手段は、前記可動支持体から切り離し可能であることを特徴とする請求項２に記載の画像記録装置。
【請求項４】
前記ローラ手段が有するローラの直径は前記吸収部材の厚さより大きく設定されていることを特徴とする請求項１〜３のいずれかに記載の画像記録装置。
【請求項５】
前記ローラ手段が有するローラは、前記排出液受け部の支持体に対する前記吸収部材の配置領域における前記第１方向の両端縁を越える範囲まで移動可能であり、
前記ローラ手段には、前記ローラが前記吸収部材の前記両端縁を越える際に、前記支持体の表面に接近するガイド部材が備えられていることを特徴とする請求項１〜４のいずれかに記載の画像記録装置。
【請求項６】
前記支持体の表面には、前記記録ヘッドユニットのノズル列に対抗するように、突条部が形成され、前記各突条部の両側には液滴ガイド溝が凹み形成され、
前記各突条部に前記吸収部材が載置されていることを特徴とする請求項１〜５のいずれかに記載の画像記録装置。
【発明の詳細な説明】
【技術分野】
【０００１】
本発明は、例えば用紙などの被記録媒体に対してインク滴を記録ヘッドユニットから吐出して画像を記録する画像記録装置に関し、より詳しくは、記録ヘッドユニットのノズルから吐出されたインク滴を受ける排出液受け部（フラッシング部）の構成に関するものである。
【背景技術】
【０００２】
従来、記録ヘッドユニットのノズルからインク滴を選択的に吐出して被記録媒体に着弾させることにより、被記録媒体に画像記録を行う所謂インクジェット方式の画像記録装置が知られている。記録ヘッドユニットは、ガイドフレームやガイドシャフトにより支持されたキャリッジに搭載されて、被記録媒体の被記録面に沿った方向で且つ被記録媒体の搬送方向と直交する方向に往復動される。この往復動の間に、記録ヘッドユニットからインク滴が被記録媒体に選択的に吐出される。
【０００３】
ところで、この種の画像記録装置では、長期の不使用時のノズル内のインクの乾燥によるインク詰まりを防止するとともに、記録ヘッドユニット内の気泡を除去するために、ノズル面を囲うように密閉するキャップを備えている。このキャップでノズル面を密閉し、キャップに接続されている吸引ポンプにより、記録ヘッドユニット内の流路及びノズルからインクとともに気泡を除去するのである。これらの構成は一般にメンテナンス部（目詰まり回復処理部）と呼ばれている。またこの他に、例えば被記録媒体への画像の動作記録中などにノズルからのインク不吐出（スプラッシュ）を起こさせないため、画像記録動作の途中、定期的にノズルからインクを強制的に吐出させることがある。このような動作を一般にフラッシング動作と言い、強制的に吐出されるインクを受け取る部位がフラッシング部と呼ばれている。
【０００４】
例えば、特許文献１では、キャップ（キャップ手段）の内部にノズルから漏れるインクを吸収するインク吸収体と、このインク吸収体に体積変化を与えることによりインクを絞り出す手段とを設け、インク吸収体はインクを吸収する時のみヘッド（ノズル面）に接触し得るように揺動自在に設けられている構成が開示されている。
【先行技術文献】
【特許文献】
【０００５】
【特許文献１】特開昭５９ー２２７４６０号公報（第２図〜第６図参照）
【発明の概要】
【発明が解決しようとする課題】
【０００６】
しかしながら、特許文献１の構成では、インクを絞り出す手段は、インク吸収体におけるノズルから吐出されたインクの受け面ではなく、その他のインクが吸引されて蓄積された箇所の体積を減少させる構成である。従って、特許文献１のインクを絞り出す手段の構成では、長期の使用中にインク吸収体におけるインクの受け面が乾燥して、インク液中の顔料や染料が固形物として堆積してインク吸収能力が低下しても、インクの受け面のインク吸収性を改善することができない。また、インクの受け面に堆積した固形物の高さが高くなることにより、ヘッドのノズル面に固形物が接触して、当該ノズル面を損傷するおそれもあった。さらに、特許文献１の構成では、絞り出す手段を駆動するためだけに電動モータなどの駆動源が別途必要であり、動力伝達機構も複雑になるという問題があった。
【０００７】
このような問題は、フラッシング部にインク吸収体を設けて、特許文献１に記載されているようなインクを絞り出す手段を設けても、同様に発生するのである。
【０００８】
本発明は、かかる問題に鑑みてなされたものであり、インク吸収体（インク吸収部材）のインク吸収能力が低下せず、且つインクの受け面にインクの固形物が堆積しないようにした排出液受け部を有する画像記録装置を提供することを目的とする。
【課題を解決するための手段】
【０００９】
請求項１に記載の発明の画像記録装置は、プラテンに支持されつつ所定の第１方向に沿って搬送される被記録媒体に向かってノズルからインク滴を吐出可能な記録ヘッドユニットが、前記被記録媒体の被記録面に沿う方向で且つ前記第１方向と直交する第２方向に往復移動自在となるように構成され、前記プラテンには、前記被記録媒体を支持しつつ前記第１方向に移動可能な可動支持体が設けられ、この可動支持体を前記被記録媒体の搬送に追従させて前記第１方向にスライドさせる駆動機構が設けられ、前記第２方向の一端部には、前記記録ヘッドユニットにより被記録媒体に画像を記録可能な領域の外側にて前記記録ヘッドユニットから吐出されるインク滴を受ける排出液受け部が設けられ、前記排出液受け部における支持体の表面にインク滴の吸収部材が固定されており、前記排出液受け部には、前記吸収部材の表面を圧縮しながら前記第１方向に沿って往復移動可能なローラ手段が設けられているものである。
【００１０】
請求項２に記載の発明は、請求項１に記載の画像記録装置において、前記ローラ手段は、前記可動支持体に連結されているものである。
【００１１】
請求項３に記載の発明は、請求項２に記載の画像記録装置において、前記ローラ手段は、前記可動支持体から切り離し可能である。
【００１２】
請求項４に記載の発明は、請求項１乃至３のいずれかに記載の画像記録装置において、前記ローラ手段が有するローラの直径は前記吸収部材の厚さより大きく設定されているものである。
【００１３】
請求項５に記載の発明は、請求項１乃至４のいずれかに記載の画像記録装置において、前記ローラ手段が有するローラは、前記排出液受け部の支持体に対する前記吸収部材の配置領域における前記第１方向の両端縁を越える範囲まで移動可能であり、前記ローラ手段には、前記ローラが前記吸収部材の前記両端縁を越える際に、前記支持体の表面に接近するガイド部材が備えられているものである。
【００１４】
請求項６に記載の発明は、請求項１乃至５のいずれかに記載の画像記録装置において、前記支持体の表面には、前記記録ヘッドユニットのノズル列に対抗するように、突条部が形成され、前記各突条部の両側には液滴ガイド溝が凹み形成され、前記各突条部に前記吸収部材が載置されているものである。
【発明の効果】
【００１５】
請求項１に記載の発明によれば、プラテンに支持されつつ所定の第１方向に沿って搬送される被記録媒体に向かってノズルからインク滴を吐出可能な記録ヘッドユニットが、前記被記録媒体の被記録面に沿う方向で且つ前記第１方向と直交する第２方向に往復移動自在となるように構成され、前記プラテンには、前記被記録媒体を支持しつつ前記第１方向に移動可能な可動支持体が設けられ、この可動支持体を前記被記録媒体の搬送に追従させて前記第１方向にスライドさせる駆動機構が設けられ、前記第２方向の一端部には、前記記録ヘッドユニットにより被記録媒体に画像を記録可能な領域の外側にて前記記録ヘッドユニットから吐出されるインク滴を受ける排出液受け部が設けられ、前記排出液受け部における支持体の表面にインク滴の吸収部材が固定されており、前記排出液受け部には、前記吸収部材の表面を圧縮しながら前記第１方向に沿って往復移動可能なローラ手段が設けられているものであるので、ローラ手段が転動して吸収部材の表面を押しながら移動するから、吸収部材の表面の排出液の固形物の破砕と排出液の絞りが可能となり、吸収体の排出液吸収能力が低下しないという顕著な効果を奏するものである。
【００１６】
請求項２に記載の発明によれば、ローラ手段は可動支持体に連結されているので、可動支持体が往復動するとき同時にローラ手段も動くことになり、ローラ手段だけのための別途の駆動源を必要としない。
【００１７】
請求項３に記載の発明によれば、前記ローラ手段は、前記可動支持体から切り離し可能であるから、フラッシングするときのみ、ローラ手段と可動支持体とを連結すれば良く、インク除去時以外の負荷を低減できるため、装置全体に係る負荷も低減でき、結果として装置の長寿命化を図ることができ、且つ無駄な動力消費を無くすることができる。
【００１８】
請求項４に記載の発明によれば、前記ローラ手段が有するローラの直径は吸収部材の厚さより大きく設定されているものであるから、ローラが第１方向に沿って往復移動するときに、ローラの移動方向前側（移動方向下流側）の吸収部材の表面側に溜まった排出液がローラの上面を越えて移動方向の上流側に乗り越えることがなく、排出液の絞り出し作用が確実に行なえるという効果を奏する。
【００１９】
請求項５に記載の発明によれば、前記ローラ手段が有するローラは、前記排出液受け部の支持体に対する前記吸収部材の配置領域における前記第１方向の両端縁を越える範囲まで移動可能であり、前記ローラ手段には、前記ローラが前記吸収部材の前記両端縁を越える際に、前記支持体の表面に接近するガイド部材が備えられているものである。
【００２０】
従って、吸収部材の両端縁で排出液を絞り切るという絞り作用が確実となるという効果を奏するものである。換言すると、ローラが吸収部材の両端縁で戻り移動する時に、吸収部材の両端部に溜まった排出液が吸収部材内に再吸収されることがないという効果を奏する。
【００２１】
請求項６に記載の発明によれば、前記支持体の表面には、前記記録ヘッドユニットのノズル列に対抗するように、突条部が形成され、前記各突条部の両側には液滴ガイド溝が凹み形成され、前記各突条部に前記吸収部材が載置されているので、ローラ手段により前記吸収部材の表面側から圧縮するとき、ノズル列から排出された排出液が多く溜まる列状の個所がローラ手段と突条部とに挟まれて、効率良く排出液を絞り出すことができる。
【００２２】
そして、ローラ手段におけるローラ体が突条部の延びる方向に沿って転動するから、吸収部材に溜まったインク色毎の廃液が他の色の排出液と混じることがない。さらに、吸収部材から絞り出し出された排出液は突条部に隣接する凹んだ液滴ガイド溝に流れるから、吸収部材から絞り出した排出液を外部に誘導することが円滑にできるという効果を奏するものである。
【図面の簡単な説明】
【００２３】
【図１】本発明の実施例に係る画像記録装置１の外観構成を示す斜視図である。
【図２】記録部の主要構成を示す概略平面図である。
【図３】記録部及びキャリッジなどの概略側断面図である。
【図４】本発明の排出液受け部の構成を示す概略平面図である。
【図５】図４のＶ−Ｖ線矢視拡大図である。
【図６】図５のVI−VI線矢視排出液受け部の側断面図である。
【図７】図６のVII −VII 線矢視側断面図である。
【図８】図６の VIII −VIII線矢視側断面図である。
【図９】規制レール５５とコロ５３との関係を示す断面図である。
【図１０】ラックレール５２とラックギヤ５１を示す説明図である。
【発明を実施するための形態】
【００２４】
以下、適宜図面を参照して本発明の実施例について説明する。なお、本実施例は本発明の一例にすぎず、本発明の要旨を変更しない範囲で、実施例を適宜変更できることは言うまでもない。
【００２５】
図１は液滴吐出装置である画像記録装置１の斜視図、図２は概略平面図である。この画像記録装置１は、プリンタ機能、ファクシミリ機能、コピー機能、スキャナ機能等の複数の機能を備えた多機能装置（ＭＦＤ：Multi Function Device ）のプリンタ機能（画像記録部）に適用しているが、単独のプリンタ装置に適用しても良い。
【００２６】
また、本発明に係る画像記録装置１を多機能装置として実施する場合には、本実施例に示すような小型のものであっても、自動原稿搬送装置（ＡＤＦ：Auto Document Feeder）を備えたものであってもよい。また、画像記録装置１は、不図示のコンピュータ（外部情報機器）と主に接続されて、該コンピュータから送信された画像データや文書データを含む印刷データに基づいて、被記録媒体としての用紙に画像や文書を記録するものである。なお、画像記録装置１には、デジタルカメラ等の外部機器が接続されて、デジタルカメラ等から出力される画像データを用紙に記録したり、メモリカード等の各種記憶媒体を装填して、該記憶媒体に記録された画像データ等を用紙に記録したりすることも可能である。
【００２７】
［基本形態］
本実施形態の画像記録装置１は、図１に示すように、画像記録装置１における合成樹脂製の記録装置本体としての合成樹脂製の射出成形品からなるハウジング２の底部には、その前側の開口部２ａから図１におけるＸ軸方向に挿抜可能な第１給紙カセット３が配置されている。この第１給紙カセット３の上面には、第２給紙カセット３０が配置され、第１給紙カセット３に対して進退動可能に構成されている。
【００２８】
ハウジング２の上部には、コピー機能やファクシミリ機能における原稿読取などのための画像読取装置１２が配置されている。この画像読取装置１２は図示しない枢軸部を介してハウジング２の一側端に対して上下開閉回動可能に構成され、さらに、画像読取装置１２の上面を覆う原稿カバー体１３の後端は画像読取装置１２の後端に対して上下回動可能に装着されている。
【００２９】
ハウジング２の上側には、画像読取装置１２の前方に各種操作ボタンや液晶表示部等を備えた操作パネル部１４が設けられている。そして、画像読取装置１２の上面には、原稿カバー体１３を上側に開けて原稿を載置することができる載置用ガラス板（図示せず）が設けられ、その下側に原稿読取り用の密着型イメージセンサ（ＣＩＳ：Contact Image Sensor) が主走査方向（図１におけるＹ軸方向であり、第２の方向）に延びるガイドシャフトに沿って往復移動可能に設けられている。
【００３０】
図１及び図２において、ハウジング２の前面右側には、インク貯蔵部１１ａにインクカートリッジ１１を出し入れするための扉２ｂが設けられている。
【００３１】
インク貯蔵部１１ａは、フルカラー記録のための４色のインクを各々収容したほぼ矩形箱状のインクカートリッジ１１（個別の色、即ち、ブラック（ＢＫ）、シアン（Ｃ）、マゼンタ（Ｍ）、イエロー（Ｙ）用インクのカートリッジ）を、Ｙ軸方向に沿って一列状に収容可能である。また、扉２ｂを開いた状態で、インク貯蔵部１１ａには、ハウジング２の前方からＸ軸方向に沿って各インクカートリッジ１１が着脱可能となるように構成されている。
【００３２】
各インクカートリッジ１１からインクジェット式の記録ヘッドユニット４に複数本（実施形態では４本）のインク供給管１５（インクチューブ）を介してインクを供給するように構成されている。なお、４色よりも多数のインク色を使用する場合（６色〜８色等）には、そのインク色の数に応じたインクカートリッジをインク貯蔵部に収容可能に構成すれば良いし、インク供給管もインクカートリッジの数に合わせて増やせばよい。
【００３３】
［記録部］
記録部７は、図２及び図３に示すように、上面が開放された箱型のメインフレーム（図示せず）とその左右一対の側板にて支持され、Ｙ軸方向（主走査方向、請求項にいう第２方向）に延びる長尺板状の第１及び第２ガイド部材２２、２３との間に形成される。記録部７における記録ヘッドユニット４が下面側に搭載されたキャリッジ５は、用紙搬送方向（Ｘ軸方向であり、副走査方向（主走査方向と直交する方向）、請求項にいう第１方向）の上流側の第１ガイド部材２２及び下流側の第２ガイド部材２３に跨がって摺動自在に支持（搭載）されて往復移動可能となっている。
【００３４】
キャリッジ５を往復移動させるために、用紙搬送方向の下流側に配置された第２ガイド部材２３の上面には、主走査方向に延びるように配置されたタイミングベルト２５がプーリに巻回されており、そのタイミングベルト２５を駆動するＣＲ（キャリッジ）モータ２４は第２ガイド部材２３の下面に固定されている。
【００３５】
キャリッジ５における記録ヘッドユニット４の下面と対峙するようにＹ軸方向に延びる扁平状のプラテン２６は、前記両ガイド部材２２、２３の間であって、メインフレームの底板の上方に固定されている。記録ヘッドユニット４には、プラテン２６上の被記録媒体としての用紙Ｐに向けノズル（図示せず）を下向きに露出させている。なお、説明では、記録ヘッドユニット４のノズルが開口された側（ノズル開口面７ａ、図３参照）を下側とし、その反対側を上側とする。なお、インク色毎のインクを吐出するように、記録ヘッドユニット４には、多数のノズルが微小間隔で配置された複数のノズル列３９を有し、各ノズル列３９はＹ軸方向に適宜間隔にて配列されている。但し、実施例では、ブラック（ＢＫ）のインクのためのノズル列は２列である。また、各ノズル列３９における複数のノズルはＸ軸方向に沿って並んでいる（図７参照）。
【００３６】
また、プラテン２６を挟んで搬送方向の上流側には、用紙Ｐを記録ヘッドユニット４の下方に送るためのレジストローラ（搬送ローラ）対２７が配置されている。そして、プラテン２６の下流側には記録済みの用紙Ｐを、第２給紙カセット３０の上面に設けられた排紙受け部３１上に搬送するための排紙ローラ対２８が配置されている（図３参照）。そして、記録ヘッドユニット４は公知のように主走査方向に移動しながらノズルから用紙Ｐにインクを選択的に吐出する。そのような記録ヘッドユニット４の移動と用紙Ｐの搬送とを繰り返すことにより、用紙Ｐ上には所望の画像が記録されるのである。
【００３７】
図２に示すように、画像記録装置１の本体フレーム内で、用紙ＰのＹ軸方向の幅+α（画像記録領域Ｇ）よりも外側における一方の側（図２の左側）には、フラッシング部（排出液受け部、インク受け部ともいう）１６が設けられている。更に、他方の側（図２の右側）にはキャリッジ５のホームポジションに対応するとともに、吐出機能の回復手段としてのメンテナンスユニット１７が設けられている。記録ヘッドユニット４は、後に詳述する排出液受け部１６と対向する位置にて、記録前または記録動作の間に定期的にノズルの目詰まり防止のためのインク吐出（フラッシング）を行う。なお、画像記録領域Ｇは実質的には、この画像記録装置１にて画像を記録可能な最大サイズの用紙の幅よりも少し長い距離（α分）を有している（図４参照）。従って、図２に示す用紙Ｐは画像記録領域Ｇとの左右位置関係を示しているだけであり、後述するように、用紙Ｐの後端はハウジング２の後端から外に出ていない。
【００３８】
メンテナンスユニット１７には、記録ヘッドユニット４のノズル開口面７ａを覆うためのキャップ体１９が備えられている。このキャップ体１９は、画像記録装置１に対して記録指令が来るのを待っている最中や、画像記録装置１の電源がＯＦＦにされているときなどに、記録ヘッドユニット４のノズル開口面７ａを覆うのである。また、キャップ体１９には吸引ポンプ（図示せず）が接続されていて、キャップ体１９がノズル開口面７ａを覆って密着した状態で、ノズルから増粘したインク等の不良インクを排出する回復動作（パージ動作）を行うことができる。また、ブレード状の払拭部材（図示せず）がキャップ体１９に並設されている。ノズル開口面７ａと当接可能な位置に上昇した払拭部材が、記録ヘッドユニット４の主走査方向への移動により相対的にノズル開口面７ａを払拭し、ノズル開口面７ａに付着しているインクや紙粉等を除去する（ワイピング動作）ことができる。
【００３９】
キャップ体１９には、ノズルから吐出されるインク（液滴）の吐出方向（実質的にＸ軸及びＹ軸に垂直な方向）に沿ってキャップ体１９をノズル開口面７ａに対して接離動させるための昇降手段（図示せず）が接続されている。キャップ体１９がノズル開口面７ａに当接したときには、キャップ体１９をノズル開口面７ａ側に付勢する押圧力が作用する
【００４０】
［給紙装置］
次に、給紙装置の構成について説明する。本実施形態では、多数枚の用紙Ｐを堆積収容可能な第１収容部３ｂを備え、この第１収容部３ｂ内の用紙Ｐを１枚ずつ、給送手段６により記録部７に給送するための第１給紙カセット３が備えられている。また、この第１給紙カセット３の第１収容部３ｂ上には、第１給紙カセット３及び給送手段６に対してＸ軸方向に沿って進退動可能に配置される第２給紙カセット３０が備えられている（図３参照）。この第２給紙カセット３０は、第１給紙カセット３における用紙Ｐと異なるサイズ（小さいサイズであり、葉書または写真のＬ版等）の用紙を第２収容部３０ｂに複数枚（少なくとも１枚以上）堆積状態で収容可能である。第２給紙カセット３０には、第２収容部３０ｂの後方（給送方向の上流側部位）に、トレイ状の排紙受け部３１が一体的に形成されている。第２給紙カセット３０を第１給紙カセット３に対して給送方向と反対側に後退させたとき、その第２給紙カセット３０の用紙の給送方向の上流側端部が第１給紙カセット３の用紙の給送方向の上流側端部とほぼ同じ位置になるように構成されている（図１参照）。
【００４１】
第１給紙カセット３は、例えばＡ４サイズ、レターサイズ、リーガルサイズ等の大きいサイズにカットされた用紙Ｐをその短辺がＹ軸方向（主走査方向）に沿う状態で多数枚積載（堆積）させて収容できる形態とする。第１給紙カセット３の第１収容部３ｂへの用紙Ｐの最大堆積量は、本実施形態では普通紙で１００枚程度、堆積高さはほぼ１０ｍｍ程度とする。
【００４２】
実施例では、給送手段６における合成樹脂製のアーム体６ｃは駆動軸２９を中心にして上下方向に回動可能であり、アーム体６ｃは傾斜分離板８に近づくように延び、アーム体６ｃ先端部に給紙ローラ６ａが配置され、駆動軸２９から図示しない歯車伝動機構を介して給紙ローラ６ａを回転駆動する。
【００４３】
また、第１給紙カセット３の先端（給送方向の下流側、図３参照）には、用紙分離用の傾斜分離板８が配置されている。給送手段６における給紙ローラ６ａと、傾斜分離板８の幅方向（Ｙ軸方向）の中央部の内面（表面）側に設けられた分離手段としての図示しない弾性分離パッドとにより、第１給紙カセット３または第２給紙カセット３０に堆積された被記録媒体である用紙Ｐを一枚ずつ分離搬送する。分離された用紙Ｐは上向きのＵターンパス（給紙搬送路）用の搬送路体９を介して第１給紙カセット３より上側（高い位置）に設けられた記録部７に給送される。そして、記録部７にて記録された用紙Ｐがその記録面を上向きにして開口部２ａに向かって排出される。
【００４４】
［縁無し記録用のプラテン］
次に、図４を参照しながら、用紙の縁に余白が生じることなく当該紙全体に画像が記録されると共に、プラテン２６上に吐出されたインクによって当該用紙の裏面が汚れることが防止できる構成について説明する。
【００４５】
実施例におけるプラテン２６は、全体として薄肉の細長矩形板状を呈している。プラテン２６は、その長手方向が主走査方向（Ｙ軸方向）に沿うように配置されている。プラテン２６は、合成樹脂や鋼板等のフレーム６０と、フレーム６０に設けられた複数の第１固定リブ６１及び第２固定リブ６２と、フレーム６０にスライド可能に設けられた可動支持体６４と、この可動支持体６４を後述のようにスライド駆動する連動機構６５とを備えている。
【００４６】
フレーム６０の上面の用紙搬送方向上流側端部に設けられた第１固定リブ６１と、用紙搬送方向下流側端部に設けられた第２固定リブ６２とはそれぞれ副走査方向に沿って延び、且つ搬送方向に二分割されているが、これらが一体的に形成されていても良いことは勿論である。以下、用紙搬送方向上流側を単に上流側といい、用紙搬送方向下流側を下流側という。
【００４７】
本実施例では、第１固定リブ６１と第２固定リブ６２との間のフレーム６０の上面に複数のスリット６６が設けられている。同図が示すように、各スリット６６は、副走査方向（Ｘ軸方向）に沿って上面の上流側端部から下流側端部まで延びており、且つ（Ｙ軸方向）に並設されている。可動支持体６４は、このスリット６６に嵌め込まれ、当該スリット６６から上方に突出している。
【００４８】
可動支持体６４は、図４に示すように、箱状に形成されたベース６７と、この上面に突出形成されているリブ６８とを有する。このリブ６８は、薄肉板状に形成されており、第１固定リブ６１及び第２固定リブ６２と同程度に上向きに突出している。
【００４９】
ベース６７はフレーム６０の下側から内側に嵌め込まれている。ベース６７の主走査方向の両端部に設けられたスライドローラ９３を介して、ベース６７は、フレーム６０の内側でＸ軸方向に滑らかにスライドすることができるようになっている。
【００５０】
連動機構６５は、前述のように可動支持体６４をＸ軸方向に往復スライドさせるためのものである。連動機構６５が設けられることにより、可動支持体６４は、排紙ローラ２８の軸と連動する。可動支持体６４は、プラテン２６上を搬送される用紙の端部を常時支持するように、当該用紙に追従して移動される。具体的には、用紙がプラテン２６のフレーム６０の上流側端部に搬送されたときに、リブ６８がこれを迎えるように移動し、その後、用紙の搬送に伴って当該用紙の端部を支持したまま下流側にスライドする。
【００５１】
連動機構６５は、動力伝達機構（図示せず）を介して排紙ローラ２８の軸を駆動源として回転駆動される回転板６９と、回転板６９と可動支持体６４との間に配設され、回転板６９の回転運動を可動支持体６４の並進運動に変換するレバー部材７１とを備えている。
【００５２】
回転板６９は、支軸を介してプラテン２６のフレーム６０に回転可能に支持されている。回転板６９は、動力伝達機構を介して正逆転されるが詳細な機構は説明を省略する。回転板６９の裏面には案内溝（カム溝）７０が設けられている。この案内溝７０は、例えば、平面視でアルキメデス螺旋の軌跡曲線を描く。
【００５３】
レバー部材７１の中途部は上記可動支持体６４のベース６７に支軸７２を介して水平回動可能に取り付けられている。レバー部材７１の先端部がベース６７の裏面側に支持ピン７３を介して水平回動可能に連結されている。レバー部材７１の基端部が回転板６９の案内溝７０に嵌合ピン７４を介して嵌合されている。このレバー部材７１は、その中間部１４７がプラテン２６のフレーム６０に支持されている。
【００５４】
上記の構成により、回転板６９が回転することにより、レバー部材７１の基端部が案内溝７０に案内されながら、当該レバー部材７１が支軸７２を揺動中心として揺動する。その結果、揺動するレバー部材７１を介してベース６７がＸ軸方向に往復スライドすることになる。
【００５５】
可動支持体６４は、初期において第１固定リブ６１と第２固定リブ６２との間に位置するが、用紙の先端がプラテン２６のフレーム６０の上流側端部に搬送された場合には、可動支持体６４が上流側へ移動して当該用紙を迎える。ＬＦモータ（図示せず）の正転により用紙がプラテン２６へ送られると共に、可動支持体６４のリブ６８は、用紙によって上から被われることになる。
【００５６】
その後、同図が示すように、キャリッジ５のスライドによるインク滴の吐出及び設定された解像度に対応した用紙の所定の改行幅ごとの搬送が交互に繰り返され、当該用紙に画像記録がなされる。ＬＦモータが正転で間欠的に駆動され、用紙が所定の改行幅ごとに間欠的に送られることになる。ＬＦモータの駆動に連動して回転板６９が回転されるから、用紙が前述のように間欠的に送られることによって、回転板６９もこれに同期して所定の回転角度づつ間欠的に回転される。回転板６９の回転角度が２７０°に達したとき、可動支持体６４が第２固定リブ６２の個所まで移動し、次いで、回転板６９の回転角度が３６０°に達したときにレバー部材７１は初期位置に復帰し、動力伝達機構のクラッチのＯＦＦにより、動力伝達が中断される。
【００５７】
用紙の搬送に伴って当該用紙の後端がプラテン２６の上流側端部に接近する。用紙の後端は、レジセンサ（図示せず）により検知される。この検知信号に基づいて動力伝達機構のクラッチのＯＮにより、ＬＦモータの駆動に連動して回転板６９の回転が再開される。用紙の後端がプラテン２６の上流側端部に到達する前に、ＬＦモータ７１の間欠駆動によって可動支持体６４が上流側端部に対応する位置まで間欠的に移動される。なお、このときも可動支持体６４のリブ６８は、搬送される用紙によって上から被われる。その後、用紙への画像記録が続行される。ＬＦモータの駆動に連動して回転板６９が回転されるから、ＬＦモータが前述のように間欠的に駆動されることによって、回転板６９もこれに同期して所定の回転角度づつ間欠的に回転される。この状態でリブ６８は、用紙の後端部側を支持したまま下流側へスライドする。このようにして、用紙の前端部及び後端部が可動支持体６４のリブ６８により支持されたまま搬送方向に沿って移動できるので、縁無し記録及び縁有り記録のいずれにおいても、用紙の裏面がプラテン２６の上面に接触せず、この上面に付着したインクによって汚されることがない。
【００５８】
［排出液受け部１６］
次に、図４〜図１０を参照しながら、排出液受け部１６の構成と、その上面に固定されたインク吸収部材４０（請求項にいう吸収部材に相当）に溜まった廃棄インク（請求項にいう排出液）を絞り出すための絞り出し手段４１について説明する。インク吸収部材４０には、記録ヘッドユニット４から吐出されたインク滴が貯留されるからである。
【００５９】
排出液受け部１６には、平板状の支持体４２が設けられ、この支持体４２の表面側（上面側）には、記録ヘッドユニット４における複数のノズル列３９の配置間隔に対応させて、記録ヘッドユニット４の各ノズル列（図示せず）に対応する個所に沿って延びる突条部５４が形成されている。そして、その突条部５４にインク吸収部材４０が載置され、各突条部５４の両側には液滴ガイド溝４３が凹み形成されている（図５及び図６参照）。
【００６０】
突条部５４及び液滴ガイド溝４３はそれぞれＸ軸方向に沿って延びるように平行状に配置されている（図５参照）。各突条部５４の横断面は、矩形状に上向き突出し、他方の液滴ガイド溝４３は上向きに開放するようにして凹み形成されている（図６、図７参照）。但し、各突条部５４の横断面は、矩形状に限定されるものではなく、台形、三角形状等であってもよい。そして、支持体４２の表面のうちＸ軸方向の端部には、各液滴ガイド溝４３の端部に一端が連通し、他端が支持体４２の側壁などの沿った下方に連通する流し溝４４が設けられている。この流し溝４４から支持体４２の側壁に穿設された排出溝（排出孔）４５は、下方に配置された廃液溜め用の大きいサイズの廃液吸収部材（図示せず）に接続される。
【００６１】
インク吸収部材４０は、合成繊維の不織布またはスポンジ状の多孔質材料からなる平板状に形成されたものを平板状の支持体４２の表面に接着剤などを介して固定する。したがって、インク吸収部材４０の下面と支持体４２の表面との間に上記液滴ガイド溝４３が凹んで位置することになる。
【００６２】
絞り出し手段４１は、インク吸収部材４０の表面を押圧しながら回転（転動）移動するローラ４７が備えられているローラ手段４６と、このローラ手段４６をＸ軸方向に沿って移動させるための上記可動支持体６４との連結部材４８とが備えられている。
【００６３】
ローラ手段４６は、ローラ４７と、このローラ４７の両端から突出している回転軸４７ａを上方から支持する一対の軸受５０を備えた支持ブラケット４９と、回転軸４７ａの両端にて一体的に回転する（又は回転軸４７ａに対して相対的に回転可能な）ラックギヤ５１と、支持体４２の両外側に配置されてラックギヤ５１と噛合うラックレール５２と、回転軸４７の両側にて相対的に回転可能なコロ５３と、このコロ５３の上面側に配置された規制レール５５とを備えている。
【００６４】
支持ブラケット４９の基部は連結部材４８にボルト５７を介して連結されている。支持ブラケット４９はその先端部が支持体４２及びインク吸収部材４０の上方にてＹ軸方向にのびている（図５及び図６参照）。支持ブラケット４９の下面から下に延びる一対の軸受５０には、それぞれ回転軸４７ａが上下方向にのみ移動可能な縦長案内溝５６が穿設されている。回転軸４７ａは連結部材４８から支持ブラケット４９を介して回転可能に支持されている。その場合、ローラ４７は回転軸４７ａに対して相対的に回転可能、または一体的に回転するように設けられている。
【００６５】
ローラ４７の直径はインク吸収部材４０の自由厚さ（ローラ４７で圧縮されていない状態の厚さ）よりも大きいように設定されている。ローラ４７のＹ軸方向の長さは、その方向のインク吸収部材４０の幅寸法よりも大きく設定されている。
【００６６】
ラックレール５２はラックギヤ５１の下面側と噛合う。他方、コロ５３が上向きに移動不能状態で転動するように、規制レール５５はコロ５３の上面側に当接するように構成されている。
【００６７】
一対のラックレール５２及び一対の規制レール５５は、インク吸収部材４０の左右両側の位置にてＸ軸方向に沿って互い平行状にて延設されている。
【００６８】
ラックレール５２及び規制レール５５は、排出液受け部１６の支持体４２に対するインク吸収部材４０の配置領域における第１方向（Ｘ軸方向）の両端縁を越える範囲までローラ４７が移動可能なように形成されている。そして、ラックレール５２及び規制レール５５の長手方向（Ｘ軸方向）の中途部は、インク吸収部材４０の配置領域の個所では、支持体４２の表面と平行状となるように形成され、且つ一対の規制レール５５にて回転軸４７ａの両側のコロ５３の上向き動を規制し、ローラ４７にてインク吸収部材４０を適宜寸法だけ下向きに押圧して、インク吸収部材４０に吸収され溜まっているインクを絞り出すことができるように構成されている。さらに、ラックレール５２及び規制レール５５におけるＸ軸方向の両端部では、ローラ４７がインク吸収部材４０の両端縁を越える際に、支持体４２の表面に接近して、インク吸収部材４０を下向きにさらに絞るように下向き傾斜形成されている（図７参照）。規制レール５５の少なくとも長手方向両端部は、排出液受け部１６のブロックにネジまたはリベットにて固定されている。ラックレール５２も排出液受け部１６のブロックに固定されている。この実施例では、一対のラックレール５２とラックギヤ５１は、ローラ４７の両端部がＹ軸に対して傾いた状態になることを防止し、ローラ４７がインク吸収部材４０の表面を圧縮しながら軽快に転動することを確実ならしめるためである。
【００６９】
規制レール５５とコロ５３との構成に代えて、ローラ４７の回転軸４７ａの両端をコイルばね等の付勢手段にて下向きに押圧するように構成することもできる。規制レール５５とコロ５３との構成を採用している場合には、ラックレール５２とラックギヤ５１を省略することができる。なお、規制レール５５の断面を下向きコ字状に形成することにより、コロ５３が規制レール５５の左右両側に脱輪しないようにすることができる。
【００７０】
上述のような構成により、画像記録領域にて用紙Ｐに画像記録を複数回実行した後、定期的に、キャリッジ５を排出液受け部１６上まで移動させて、フラッシングする。その場合、前回のローラ４７によりインク吸収部材４０の表面を押して、インク吸収部材４０内に溜まった廃棄インクを絞り出す作業を実行した後、制御装置におけるフラッシング総量をカウントするメモリを初期化して零とする。その後、印字作業途中におけるフラッシング量及びパージ中のフラッシング量をカウントしてメモリに加算する。メモリのフラッシング総量が所定の閾値より大きくなると、次回の廃棄インクを絞り出す作業を実行するのである。
【００７１】
［インク吸収部材４０中の廃棄インク絞り出し動作］
プラテン２６における上記可動支持体６４がＸ軸方向に沿って往復移動する頻度は、インク吸収部材４０中の廃棄インク絞り出し動作の頻度と直接関係がないため、可動支持体６４と連結部材４８との間を連結したり切り離したりできるクラッチ機構８０が設けられている（図５及び図６参照）。そして、上述のように、メモリのフラッシング総量が所定の閾値より大きくなると、クラッチ機構８０が作動して可動支持体６４と連結部材４８とを連結するのである。このように構成すれば、フラッシングするときのみ、ローラ手段４６と可動支持体６４とを連結すれば良く、インク除去時以外の負荷を低減できるため、装置全体に係る負荷も低減でき、結果として装置の長寿命化を図ることができ、且つ無駄な動力消費を無くすることができる。
【００７２】
上述のように、廃棄インク絞り出し動作を実行するときには、ローラ４７の両端の回転軸４７ａのコロ５３の個所で規制レール５５の中途部にて、ローラ４７の上向きの移動が規制され、ローラ４７の下面がインク吸収部材４０の表面を押して、インク吸収部材４０の厚さを圧縮するように配置されている。従って、上述のように、プラテン２６における可動支持体６４のＸ軸方向に沿う往復移動につれて、ローラ４７が転動し、インク吸収部材４０の表面にて乾燥してインクが固形状になった部分を破砕すると共に、インク吸収部材４０内に溜まった廃棄インクを絞りながら、ローラ４７は排出液受け部１６の一端から他端へ移動する。このとき、ローラ４７によりインク吸収部材４０の表面側から圧縮すると、ノズル列から排出された廃棄インク（排出液）が多く溜まる列状の個所の下方が突条部５４であるので、ローラ４７と突条部５４とに挟まれて、効率良く廃棄インクを絞り出すことができる。その絞り出し出された廃棄インクは各突条部５４に隣接する凹んだ液滴ガイド溝４３に流れるから、インク吸収部材４０から絞り出した廃棄インクを外部に誘導することが円滑にできる（図７及び図８参照）。このように、絞り出された廃棄インクは液滴ガイド溝４３から流し溝４４及び排出溝４５を経て下方の廃液吸収部材（廃液フォーム、図示せず）に溜めることができるのである。なお、廃液吸引装置を用いて液滴ガイド溝４３からの廃棄インクを吸い出しても良い。
【００７３】
ローラ４７を移動させる駆動源は、プラテン２６における可動支持体６４を往復移動させる動力だけであるので、エネルギーの消費が少なく、ローラ４７を移動させるためだけの別途のモータが不要となり、動力伝達機構も至極簡単となるという効果を奏する。
【００７４】
なお、ローラ４７は、排出液受け部１６の支持体４２に対するインク吸収部材４０の配置領域における第１方向（Ｘ軸方向）の両端縁を越える範囲まで移動可能である。そして、ローラ４７がインク吸収部材４０の両端縁を越える際に、規制レール５５の下向き傾斜状の端部により、ローラ４７が支持体４２の表面に接近するので、インク吸収部材４０の両端縁で廃棄インクを絞り切るという絞り作用が確実となるという効果を奏するものである。換言すると、ローラ４７がインク吸収部材４０の両端縁で戻り移動する時に、インク吸収部材４０の両端部に溜まった廃棄インクがインク吸収部材４０内に再吸収されることがない。
【００７５】
これらの場合、ローラ４７の直径がインク吸収部材４０の厚さより大きいので、廃棄インクの絞り作用中に、ローラ４７の移動方向前側（移動方向下流側）のインク吸収部材４０の表面側に溜まった廃棄インクがローラ４７の上面を越えて移動方向の上流側に乗り越えることがなく、廃棄インクの絞り出し作用が確実に行なえるという効果を奏するものである。ローラ４７の少なくとも表面を撥水性の高い層または材料にて形成することで、ローラ４７の表面に廃液インクが付着したまま固形化することが防止できる。
【００７６】
廃棄インクの絞り動作をするための可動支持体６４の第１方向（Ｘ軸方向）に沿う往復移動速度を、画像記録領域での通常の記録時の往復移動速度よりも遅くするように制御することで、ローラ４７による廃棄インクの絞り作用が確実となる。
【符号の説明】
【００７７】
４    記録ヘッドユニット
５    キャリッジ
４０  インク吸収部材
４１  絞り出し手段
４２  支持体
４３  液滴ガイド溝
４４  流し溝
４５  排出溝
４６  ローラ手段
４７  ローラ
４８  連結部材
４９  支持ブラケット
５０  軸受
５１  ラックギヤ
５２  ラックレール
５３  コロ
５４  突条部
５５  規制レール
５６  縦長溝
５７  ボルト
６４  可動支持体
【図１】
2010201635.tif 000003
【図２】
2010201635.tif 000004
【図３】
2010201635.tif 000005
【図４】
2010201635.tif 000006
【図５】
2010201635.tif 000007
【図６】
2010201635.tif 000008
【図７】
2010201635.tif 000009
【図８】
2010201635.tif 000010
【図９】
2010201635.tif 000011
【図１０】
2010201635.tif 000012